(57)【要約】【課題】一対の端子に対して接続端子を位置決めすることにより組立性を向上しながら、基板や電子部品が一対の端子と電気的に接触してショートするのを防止することが可能な直管型ＬＥＤ照明装置を提供する。【解決手段】この直管型ＬＥＤ照明装置１００は、ＬＥＤ素子３ａと、電力制御を行う電子部品５ａが実装された電源基板５と、ＬＥＤ素子３ａおよび電源基板５を収納するチューブ１と、内外に突出する一対の端子２４を含み、チューブ１の端部を塞ぐ底部２２を有する形状のキャップ２ａと、キャップ２ａの内部で一対の端子２４に取り付けられ、電源基板５に接続される接続端子８とを備え、キャップ２ａは、その内表面に突出するように形成され、接続端子８を位置決めするためのボス部２５を含み、管軸方向における、ボス部２５の突出高さＬ１は、一対の端子２４の突出Ｌ２高さよりも大きく設定されている。【選択図】図７
2014175259.tif 000002
【特許請求の範囲】
【請求項１】
光源となる発光素子と、
電力制御を行う電子部品が実装された回路基板と、
筒形状に形成され、前記発光素子および前記回路基板を内部に収納する管体と、
交流電力が供給されるとともに、外部および内部に突出する一対の端子を含み、前記管体の端部を塞ぐ底部を有する形状のキャップと、
前記キャップの内部において前記一対の端子に取り付けられるとともに、配線を介して前記回路基板に接続される接続端子とを備え、
前記キャップは、前記キャップの内表面に突出するように形成され、前記接続端子を位置決めするための位置決め部を含み、
前記位置決め部の管軸方向における前記底部からの突出高さは、前記一対の端子の管軸方向における前記底部からの突出高さよりも大きく設定されている、照明装置。
【請求項２】
前記接続端子は、ネジにより前記一対の端子に対して固定され、
前記位置決め部は、前記接続端子が前記ネジの締結時に回動する際に前記接続端子に当接して回動を規制可能な位置に配置されている、請求項１に記載の照明装置。
【請求項３】
前記位置決め部は、前記接続端子に係合または当接するボス部またはリブ部のうち少なくとも一方を含む、請求項２に記載の照明装置。
【請求項４】
前記位置決め部は、厚み方向を管軸方向に向けて配置された平板状の前記接続端子を挟み込み、かつ、対角線状に配置された複数の前記ボス部を含む、請求項３に記載の照明装置。
【請求項５】
前記複数のボス部は、平板状の前記接続端子を挟み込み、かつ、互いに交差する一対の対角線状にそれぞれ配置されている、請求項４に記載の照明装置。
【請求項６】
前記接続端子は、平板状に形成され、厚み方向を管軸方向に向けて配置されるとともに、前記ネジにより前記一対の端子のそれぞれに接続される一対の締結部と、一対の締結部を連結する連結部とを含み、
前記リブ部は、前記一対の締結部および前記連結部のうち少なくとも一方の外縁部に沿うように形成されている、請求項３に記載の照明装置。
【請求項７】
前記接続端子は、平板状に形成され、厚み方向を管軸方向に向けて配置されるとともに、孔部または切欠き部のうち少なくとも一方を有し、
前記ボス部は、前記孔部または前記切欠き部に係合するように配置されている、請求項３に記載の照明装置。
【発明の詳細な説明】
【技術分野】
【０００１】
この発明は、照明装置に関し、特に、発光素子を備える照明装置に関する。
【背景技術】
【０００２】
従来、ＬＥＤ（Ｌｉｇｈｔ  Ｅｍｉｔｔｉｎｇ  Ｄｉｏｄｅ）などの発光素子を備える照明装置が知られている（たとえば、特許文献１参照）。
【０００３】
上記特許文献１には、整流や電圧制御などを行う電気回路およびＬＥＤ（発光素子）が実装されたプリント基板と、円筒形状に形成され、プリント基板を内部に収納する本体（管体）と、一対のピン端子（一対の端子）を含み、本体の端部に取り付けられるキャップと、キャップの内部において一対のピン端子に取り付けられるとともに、電線（配線）を介してプリント基板に接続される接続端子とを備えたＬＥＤ照明装置（照明装置）が開示されている。また、キャップは、平板と平板に対向して配置される２つの棒部材とから構成される受け溝と、筒状のピン端子接続部とを含んでいる。また、接続端子は、キャップの内部において、受け溝の棒部材と平板との間に挟まれることにより、一対のピン端子に対して位置決めされる。
【先行技術文献】
【特許文献】
【０００４】
【特許文献１】特開２０１１−１０８３８４号公報
【発明の概要】
【発明が解決しようとする課題】
【０００５】
しかしながら、上記特許文献１のＬＥＤ照明装置では、キャップの内部で、プリント基板や電子部品が位置ずれして接続端子側に移動した場合には、一対の端子または接続端子と、プリント基板やプリント基板に実装された電子部品とが電気的に接触してショートしてしまう場合があると考えられる。
【０００６】
この発明は、上記のような課題を解決するためになされたものであり、この発明の１つの目的は、一対の端子に対して接続端子を位置決めすることにより組立性を向上しながら、基板や電子部品が一対の端子と電気的に接触してショートするのを防止することが可能な照明装置を提供することである。
【課題を解決するための手段】
【０００７】
この発明の一の局面による照明装置は、光源となる発光素子と、電力制御を行う電子部品が実装された回路基板と、筒形状に形成され、発光素子および回路基板を内部に収納する管体と、交流電力が供給されるとともに、外部および内部に突出する一対の端子を含み、管体の端部を塞ぐ底部を有する形状のキャップと、キャップの内部において一対の端子に取り付けられるとともに、配線を介して回路基板に接続される接続端子とを備え、キャップは、キャップの内表面に突出するように形成され、接続端子を位置決めするための位置決め部を含み、位置決め部の管軸方向における底部からの突出高さは、一対の端子の管軸方向における底部からの突出高さよりも大きく設定されている。
【０００８】
この一の局面による照明装置では、上記のように、キャップの内表面に突出するように接続端子を位置決めするための位置決め部を設け、位置決め部の管軸方向における底部からの突出高さを、一対の端子の管軸方向における底部からの突出高さよりも大きく設定することによって、管体およびキャップの内部で基板や電子部品が位置ずれして一対の端子側に移動した場合でも、位置決め部によりその移動を規制することができるので、接続端子と基板および電子部品とが電気的に接触するのを防止することができる。その結果、基板および電子部品と一対の端子とが電気的に接触してショートするのを防止することができる。また、キャップの内表面に突出するように接続端子を位置決めするための位置決め部を設けることによって、位置決め部により、容易に接続端子を位置決めすることができるので、接続端子を一対の端子に容易に取り付けることができる。したがって、この照明装置では、一対の端子に対して接続端子を位置決めすることにより組立性を向上しながら、基板や電子部品が一対の端子と電気的に接触してショートするのを防止することができる。
【０００９】
上記一の局面による照明装置において、好ましくは、接続端子は、ネジにより一対の端子に対して固定され、位置決め部は、接続端子がネジの締結時に回動する際に接続端子に当接して回動を規制可能な位置に配置されている。このように構成すれば、位置決め部により、ネジの締結時に接続端子が回動するのを防止することができるので、接続端子を一対の端子に容易に取り付けることができる。これにより、組立性をより向上させることができる。
【００１０】
上記一の局面による照明装置において、好ましくは、位置決め部は、接続端子に係合または当接するボス部またはリブ部のうち少なくとも一方を含んでいる。このように構成すれば、管体およびキャップの内部で基板や電子部品が位置ずれして一対の端子側に移動した場合でも、簡易な形状のボス部またはリブ部によりその移動が規制されるので、容易に、接続端子と基板および電子部品とが電気的に接触するのを防止してショートすることを防止することができる。
【００１１】
この場合、好ましくは、位置決め部は、厚み方向を管軸方向に向けて配置された平板状の接続端子を挟み込み、かつ、対角線状に配置された複数のボス部を含んでいる。このように構成すれば、ネジの締結時に接続端子が右回りまたは左回りのいずれの方向に回動した場合でも、複数のボス部により、その回動を防止することができるので、接続端子を一対の端子に容易に取り付けることができる。また、接続端子を挟むように複数のボス部を設けることによって、接続端子をボス部が配置された方向に接続端子が移動するのを規制することができるので、複数のボス部により、安定した状態で接続端子を位置決めすることがでる。その結果、接続端子を一対の端子に容易に取り付けることができる。
【００１２】
上記位置決め部が複数のボス部を含む構成において、好ましくは、複数のボス部は、平板状の接続端子を挟み込み、かつ、互いに交差する一対の対角線状にそれぞれ配置されている。このように構成すれば、ボス部がバランスよく接続端子の４隅に配置されるので、安定した状態で位置決めすることができ、その結果、接続端子を一対の端子により容易に取り付けることができる。
【００１３】
上記位置決め部とボス部とを含む構成において、好ましくは、接続端子は、平板状に形成され、厚み方向を管軸方向に向けて配置されるとともに、ネジにより一対の端子のそれぞれに接続される一対の締結部と、一対の締結部を連結する連結部とを含み、リブ部は、一対の締結部および連結部のうち少なくとも一方の外縁部に沿うように形成されている。このように構成すれば、接続端子がリブ部に面接触するので、安定した状態で位置決めすることができる。
【００１４】
上記位置決め部とボス部とを含む構成において、好ましくは、接続端子は、平板状に形成され、厚み方向を管軸方向に向けて配置されるとともに、孔部または切欠き部のうち少なくとも一方を有し、ボス部は、孔部または切欠き部に係合するように配置されている。このように構成すれば、ボス部と接続端子の孔部または切欠き部とを係合させて安定した状態で接続端子を位置決めすることができるので、接続端子を一対の端子に容易に取り付けることができる。
【発明の効果】
【００１５】
本発明によれば、上記のように、一対の端子に対して接続端子を位置決めすることにより組立性を向上しながら、基板や電子部品が一対の端子と電気的に接触してショートするのを防止することができる。
【図面の簡単な説明】
【００１６】
【図１】本発明の第１実施形態による直管型ＬＥＤ照明装置の全体の構成を示した斜視図である。
【図２】本発明の第１実施形態による直管型ＬＥＤ照明装置の全体の構成を示した分解斜視図である。
【図３】本発明の第１実施形態による直管型ＬＥＤ照明装置のＬＥＤ基板を示した平面図である。
【図４】本発明の第１実施形態による直管型ＬＥＤ照明装置の基板の配置状態および配線状態を示した概略図である。
【図５】本発明の第１実施形態による直管型ＬＥＤ照明装置のキャップおよび接続端子を示した斜視図である。
【図６】本発明の第１実施形態による直管型ＬＥＤ照明装置のキャップの内部に接続端子を位置決めした状態を示した図である。
【図７】図６の７００−７００線に沿った断面図である。
【図８】図６の８００−８００線に沿った断面図である。
【図９】図１の９００−９００線に沿った断面図である。
【図１０】本発明の第２実施形態による直管型ＬＥＤ照明装置のキャップおよび接続端子を示した斜視図である。
【図１１】本発明の第２実施形態による直管型ＬＥＤ照明装置のキャップの内部に接続端子を位置決めした状態を示した図である。
【図１２】図１１の１２０−１２０線に沿った断面図である。
【図１３】本発明の第３実施形態による直管型ＬＥＤ照明装置のキャップおよび接続端子を示した斜視図である。
【図１４】本発明の第３実施形態による直管型ＬＥＤ照明装置のキャップの内部に接続端子を位置決めした状態を示した図である。
【図１５】図１４の１５０−１５０線に沿った断面図である。
【図１６】本発明の第１変形例による直管型ＬＥＤ照明装置のキャップおよび接続端子を示した斜視図である。
【図１７】本発明の第２変形例による直管型ＬＥＤ照明装置のキャップおよび接続端子を示した斜視図である。
【発明を実施するための形態】
【００１７】
以下、本発明の実施形態を図面に基づいて説明する。
【００１８】
（第１実施形態）
以下、図１〜図９を参照して、本発明の第１実施形態による直管型ＬＥＤ照明装置１００の構成について説明する。なお、直管型ＬＥＤ照明装置１００は、本発明の「照明装置」の一例である。
【００１９】
本実施形態による直管型ＬＥＤ照明装置１００は、図１に示すように、直線状に延びる管形状に形成されたチューブ１と、チューブ１の管軸方向（Ｘ方向）の両端部に取り付けられる一対のキャップ２ａおよび２ｂとを備えている。また、チューブ１の内部には、図２および図４に示すように、ＬＥＤ素子３ａ（図３参照）が実装される複数のＬＥＤ基板３と、複数のＬＥＤ基板３を支持するとともにＬＥＤ素子３ａの熱を放熱するヒートシンク４と、電子部品５ａが実装された電源基板５と、電子部品６ａが実装された制御基板６とが収納されている。また、チューブ１の内部において、電源基板５はＬＥＤ基板３の一方端部（Ｘ１方向端部）に、制御基板６は他方端部（Ｘ２方向端部）に配置されている。また、キャップ２ａおよび２ｂは、それぞれ、一対の端子２４を含んでいる。また、図４〜図８に示すように、キャップ２ａの一対の端子２４は、電源基板５に繋がる配線１３１ａが施された接続端子８と接続されることにより、電源基板５と電気的に接続され、キャップ２ｂの一対の端子２４は、電源基板５に繋がる配線１３１ｂが施された接続端子８と接続されることにより、電源基板５と電気的に接続されている。なお、チューブ１は、本発明の「管体」の一例であり、ＬＥＤ素子３ａは、本発明の「発光素子」の一例である。また、電源基板５および制御基板６は、本発明の「回路基板」の一例である。
【００２０】
チューブ１は、直線状に延びる管形状で、かつ、円筒形状に形成されている。具体的には、チューブ１は、図２および図９に示すように、Ｚ１方向側に配置される略半円弧形状の断面を有する表部１１と、Ｚ２方向側に配置される略半円弧形状の断面を有する裏部１２とを含み、表部１１と裏部１２とが一体となって円筒形状に形成されている。また、チューブ１は、樹脂材（たとえば、ポリカーボネート）からなり、表部１１と裏部１２とが一体成型されている。表部１１は、光拡散材を含み、ＬＥＤ素子３ａから出射される光を拡散させながら透光可能なように構成されている。裏部１２は、光拡散材を含み、表部１１よりも光を透過させ難いように構成されている。また、表部１１は、半透明に構成され、裏部１２は、略不透明に構成されている。
【００２１】
また、チューブ１の内部には、図２および図９に示すように、一対のリブ１２１が設けられている。また、一対のリブ１２１は、チューブ１の管軸方向（Ｘ方向）の一方端部から他方端部まで、管軸方向の全域にわたって管軸方向に延びるように形成されている。また、一対のリブ１２１は、後述するように、ヒートシンク４および２つのスペーサ部材７の移動を規制する機能を有するとともに、ヒートシンク４および２つのスペーサ部材７をチューブ１に挿入する際のガイドとして機能するように構成されている。
【００２２】
キャップ２ａは、図１および図２に示すように、チューブ１の管軸方向の一方端部（Ｘ１方向の端部）の開口を塞ぐように取り付けられ、キャップ２ｂは、チューブ１の管軸方向の他方端部（Ｘ２方向の端部）の開口を塞ぐように取り付けられる。キャップ２ａは、底部２２を有する管形状を有している。具体的には、キャップ２ａは、チューブ１が挿入される管形状部２１と、チューブ１の一方端部を塞ぐ底部２２とを含んでいる。ここで、キャップ２ａおよび２ｂは、同様の構成を有している。そこで、これ以降はキャップ２ａの構成について説明し、キャップ２ｂについてはその説明を省略する。
【００２３】
図７に示すように、キャップ２ａの一対の端子２４は、底部２２から外部および内部に突出するように設けられている。また、一対の端子２４の内部に突出する部分は、先端部から底部２２に向けて形成された、接続端子８を取り付けるためのネジ孔を有している。また、一対の端子２４の内部に突出する外周部分は、先端部を除き円筒形状の樹脂製の端子支持部２７に覆われている。また、一対の端子２４は、周方向に凹部２４ａを有しており、この凹部２４ａを端子支持部２７の内周面に形成された凸部２７ａに係合させることにより、底部２２に固定的に取り付けられている。また、端子支持部２７の付け根部分には、底部２２から内部に僅かに突出する十字状の補強リブ部２８が設けられている。これにより、一対の端子２４および端子支持部２７は、管軸方向に直交する方向に加わる外力に対して強固に補強されている。
【００２４】
ここで、第１実施形態では、キャップ２ａは、図５〜図８に示すように、底部２２から内部に突出し、接続端子８の側部を支持して位置決めするための円柱状の４つのボス部２５を含んでいる。これらボス部２５の管軸方向における底部２２からの突出高さＬ１は、一対の端子２４の底部２２からの高さＬ２よりも大きく設定されている。すなわち、４つのボス部２５の先端部が、一対の端子２４と、チューブ１の内部に収納されている電源基板５（制御基板６）および電子部品５ａ（６ａ）との間の位置に配置されている。これにより、チューブ１の内部で電源基板５（制御基板６）基板や電子部品５ａ（６ａ）が移動したとしても、ボス部２５の先端部が電源基板５（制御基板６）または電子部品５ａ（６ａ）に当接して、その移動を規制するように構成されている。また、ボス部２５の先端部は、接続端子８の取り付けの妨げとならないように丸みを帯びている。ボス部２５の底部２２における配置については、下記の接続端子８の構成と合わせて説明する。なお、ボス部２５は、本発明の「位置決め部」の一例である。
【００２５】
接続端子８は、図５に示すように、その両端部に設けられた、ネジ９を挿通、支持するための開口を有する一対のリング部８１と、一対のリング部８１間を連結する連結部８２とを含んでおり、平面視で略めがね形状に形成されている。また、連結部８２は、配線１３１ａを取り付けるためのかしめ部８３を有する。また、接続端子８は、図６に示すように、接続端子８の厚み方向を管軸方向に向けて一対の端子２４上に載置され、ネジ９により一対の端子２４に取り付けられている。使用するネジ９としては、底部２２からの高さがより小さく（低く）なるように、皿ネジを使用することが好ましい。また、４つのボス部２５は、接続端子８を挟み込み、かつ、接続端子８の互いに交差する一対の対角線状にそれぞれ配置されている。すなわち、ボス部２５は、連結部８２の一対の外縁部８２ａまたは８２ｂの両端部近傍にそれぞれ１つずつ配置されている。なお、リング部８１は、本発明の「締結部」の一例である。
【００２６】
また、ボス部２５は、その付け根部分が上記十字状の補強リブ部２８と重なる位置に配置されている。これにより、ボス部２５は、管軸方向に直交する方向に加わる外力に対して強固に補強されている。また、配線１３１ａが取り付けられた接続端子８のかしめ部８３およびその近傍は、ショートを防止するために絶縁チューブ８４（例えば、ゴムチューブ）で覆われている。そして、一対の端子２４は、接続端子８のかしめ部８３に取り付けられた配線１３１ａを介して電源基板５に電気的に接続されている。また、ボス部２５は、接続端子８に当接することにより、接続端子８を位置決めするように構成されている。また、接続端子８の取り付け時に、ネジ９の回動に伴って接続端子８が回動する場合に、ボス部２５は、接続端子８に当接して回動を規制するように構成されている。
【００２７】
複数のＬＥＤ基板３は、図２に示すように、平面視で矩形形状を有し、管軸方向（Ｘ方向）に延びるように形成されている。また、ＬＥＤ基板３は、電源基板５および制御基板６の管軸方向の間に設けられている。また、各ＬＥＤ基板３の発光素子実装面３１には、図３および図９に示すように、複数のＬＥＤ素子３ａが実装されている。複数のＬＥＤ素子３ａは、図３に示すように、管軸方向（Ｘ方向）に互いに所定の間隔を隔てて１列で配列されている。また、図３および図９に示すように、ＬＥＤ基板３の発光素子実装面３１には、複数のＬＥＤ素子３ａを覆うように蛍光体部材３ｂが設けられている。蛍光体部材３ｂは、ＬＥＤ素子３ａから出射される光を受けて蛍光を放つように構成されている。
【００２８】
ヒートシンク４は、図２に示すように、管軸方向（Ｘ方向）に延びるように形成されている。詳細には、ヒートシンク４は、チューブ１よりも小さい長さに形成されており、管軸方向においてチューブ１の略中央に配置されるように構成されている。また、ヒートシンク４は、図９に示すように、管軸方向に沿って中空に形成されている。具体的には、ヒートシンク４は、Ｚ１方向側に配置された平坦状部４１と、Ｚ２方向側に配置された円弧状部４２とを含んでいる。平坦状部４１と円弧状部４２との間には、平坦状部４１と円弧状部４２とを互いに連結する補強リブ４３が設けられている。また、平坦状部４１、円弧状部４２および補強リブ４３により囲まれて２つの内部空間４ａが形成されている。
【００２９】
平坦状部４１は、ＬＥＤ基板３が載置される基板載置部４１ａを有し、平坦状に形成されている。また、平坦状部４１には、ヒートシンク４の管軸方向の一方端部から他方端部まで、管軸方向の全域にわたって管軸方向に延びる一対のリブ４１１が設けられている。また、一対のリブ４１１は、平坦状部４１に一体的に形成されている。また、一対のリブ４１１は、ＬＥＤ基板３のＹ方向への移動を規制する位置決め部材として機能するように構成されている。また、基板載置部４１ａには、ＬＥＤ基板３が接着部材（たとえば、両面テープ）により固定的に取り付けられる。円弧状部４２は、図９に示すように、管軸方向（Ｘ方向）から見て、チューブ１の内面１２ａと略同じ曲率の外面４２ａを有している。
【００３０】
ヒートシンク４は、チューブ１の内部に収納された状態で、チューブ１に設けられた一対のリブ１２１により、所定の配置位置からチューブ１の管軸方向（Ｘ方向）に交差する方向（Ｙ方向およびＺ方向）にずれるのが規制されている。円弧状部４２は、略同じ曲率を有するチューブ１の内面１２ａに面接触状態で当接するとともに、平坦状部４１は、Ｙ方向の両端部近傍がそれぞれ一対のリブ１２１に当接している。
【００３１】
電源基板５は、図２および図４に示すように、複数のＬＥＤ素子３ａに電力を供給するための複数の電子部品５ａを実装するために設けられている。電子部品５ａは、交流電源から供給された交流電力を直流電力に変換する機能を有する。電源基板５は、図４に示すように、キャップ２ａの一対の端子２４に配線１３１ａを介して接続されている。電源基板５には、キャップ２ａの一対の端子２４を介して交流電力が供給される。また、電源基板５は、キャップ２ｂの一対の端子２４に配線１３１ｂを介して接続されている。電源基板５は、キャップ２ｂの一対の端子２４を介して接地されている。
【００３２】
制御基板６は、図２および図４に示すように、電源基板５で変換された直流電力の電圧を制御してＬＥＤ基板３に供給する複数の電子部品６ａを実装するために設けられている。また、制御基板６は、図４に示すように、ヒートシンク４の内部空間４ａに配置された２本の配線１３２ａおよび１３２ｂを介して電源基板５に接続されている。また、制御基板６は、ＬＥＤ素子３ａに電力を供給可能なようにＬＥＤ基板３に２本の配線１３３ａおよび１３３ｂを介して接続されている。
【００３３】
電源基板５は、チューブ１の内部において、ＬＥＤ基板３のＸ１方向側の端部の外側であり、かつ、ＬＥＤ基板３のＸ１方向側の端部とキャップ２ａの底部２２との間のスペースに配置されている。制御基板６は、チューブ１の内部において、ＬＥＤ基板３のＸ２方向側の端部の外側であり、かつ、ＬＥＤ基板３のＸ２方向側の端部とキャップ２ｂの底部２２との間のスペースに配置されている。また、電源基板５および制御基板６は、チューブ１の管軸方向の中央に配置されたヒートシンク４よりも外側のスペースで、ヒートシンク４を管軸方向の両側から挟み込むように配置されている。また、電源基板５および制御基板６は、それぞれ、ヒートシンク４の管軸方向の両側に配置されたスペーサ部材７に対応する位置に配置されている。
【００３４】
また、図４に示すように、電源基板５は、チューブ１のキャップ２ａの管形状部２１により覆われる領域に配置されている。また、制御基板６は、チューブ１のキャップ２ｂの管形状部２１により覆われる領域に配置されている。また、電源基板５および制御基板６は、チューブ１の表部１１の内面１１ａに接着剤により固定的に取り付けられる。
【００３５】
２つのスペーサ部材７は、図２に示すように、互いに同様の構成を有している。具体的には、スペーサ部材７は、チューブ１の内面１２ａ（図９参照）と略同じ曲率の外表面７ａを有している。また、スペーサ部材７は、管軸方向（Ｘ方向）に延びるように形成されている。また、スペーサ部材７のＹ方向の両端部は、チューブ１の一対のリブ１２１に当接するように構成されている。
【００３６】
また、スペーサ部材７は、直管型ＬＥＤ照明装置１００が組み立てられた状態において、図４に示すように、管軸方向のヒートシンク４側の一方端部７ｂがヒートシンク４に当接するとともに、他方端部７ｃがキャップ２ａ（２ｂ）の管形状部２１の内面１２３の先端部に当接するように構成されている。
【００３７】
次に、図２および図４〜図９を参照して、直管型ＬＥＤ照明装置１００の組み立て手順について説明する。
【００３８】
まず、図２に示すように、ＬＥＤ基板３をヒートシンク４の基板載置部４１ａに取り付けた状態で、ヒートシンク４をチューブ１の内部に挿入する。この際、図９に示すように、ヒートシンク４を、チューブ１の一対のリブ１２１と内面１２ａとに挟まれる領域に圧入する。また、一対のリブ１２１をガイドとして、ヒートシンク４を一対のリブ１２１に沿って管軸方向に挿入する。
【００３９】
そして、図２および図４に示すように、電源基板５および制御基板６に所定の配線を施して、チューブ１の両端部からそれぞれ電源基板５および制御基板６をチューブ１の内部に挿入する。具体的には、図４に示すように、電源基板５（制御基板６）の電子部品５ａ（６ａ）の実装面５１（６１）がチューブ１の裏部１２側（Ｚ２方向側）に向けられた状態で、電源基板５および制御基板６に所定の配線を施す。そして、電源基板５および制御基板６を、管軸に対して１回転（３６０度）回転する。その後、ヒートシンク４を挟み込むように、チューブ１の両端部からそれぞれ電源基板５および制御基板６をチューブ１の内部に挿入する。これにより、電源基板５および制御基板６を接続する所定の配線のうちヒートシンク４の内部空間４ａからはみ出した部分が、ねじれた状態で電源基板５（制御基板６）の実装面５１（６１）とスペーサ部材７との間のスペースに纏められて収納される。その結果、ＬＥＤ基板３のＬＥＤ素子３ａの発光素子実装面３１側にはみ出るのを抑制することができる。その後、電源基板５および制御基板６を接着剤によりチューブ１の内面１１ａに取り付ける。
【００４０】
その後、２つのスペーサ部材７を、それぞれ、チューブ１の管軸方向の両側からチューブ１の内部に挿入する。この際、スペーサ部材７を、ヒートシンク４と同様に、チューブ１の一対のリブ１２１と内面１２ａとに挟まれる領域に挿入する。
【００４１】
ここで、図５に示すように、一対の端子２４に接続端子８が接続されていない状態において、接続端子８に配線１３１ａを取り付ける。具体的には、配線１３１ａの一方の先端から導線部分の一部を露出させて、接続端子８のかしめ部８３にかしめにより取り付ける。次に、露出している導線部分によるショートを防止するために、かしめ部８３およびその近傍を絶縁チューブ８４で被覆し、熱により収縮させて固定する。次に、配線１３１ａが取り付けられた接続端子８を一対の端子２４に取り付ける。具体的には、接続端子８を、図６〜図８に示すように、一対の端子２４に当接させて位置決めしながら、４つのボス部２５に連結部８２が挟まれるように所定の位置に配置する。そして、一方のリング部８１の開口にネジ９を通して接続端子８と一方の端子２４とを締結する。この際、接続端子８には、ネジ９の回動に伴って右回りに回動する力（モーメント）が加わるが、接続端子８は、ボス部２５により、その回動が規制される。そして、一方の端子２４と同様にして、他方の端子２４およびリング部８１をネジ９により締結する。次に、接続端子８に取り付けられた配線１３１ａの他方端側を電源基板５に接続する。このようにして、一対の端子２４と電源基板５とが、接続端子８および配線１３１ａを介して電気的に接続される。
【００４２】
この状態で、キャップ２ａを、チューブ１の管軸方向の両端部の開口を塞ぐように取り付ける。また、キャップ２ａの管形状部２１の内面１２３により対応するスペーサ部材７の他方端部７ｃが押されて、スペーサ部材７はチューブ１の内部にさらに押し込まれる。同様にキャップ２ｂを取り付ける。そうすることにより、チューブ１の両側から押し込まれた２つのスペーサ部材７の一方端部７ｂにより、ヒートシンク４が管軸方向の両側から所定の配置位置に位置決めされる。また、ヒートシンク４が所定の配置位置に位置決めされた状態で、電源基板５および制御基板６のそれぞれに対応する位置にスペーサ部材７が配置される。なお、キャップ２ａおよび２ｂは、いずれを先に取り付けてもよい。
【００４３】
第１実施形態では、上記のように、キャップ２ａおよび２ｂの内表面に突出するように接続端子８を位置決めするためのボス部２５を設け、ボス部２５の管軸方向における底部２２からの突出高さＬ１を、一対の端子２４の管軸方向における底部２２からの突出高さＬ２よりも大きく設定する。これにより、チューブ１およびキャップ２ａおよび２ｂの内部で電源基板５（制御基板６）または電子部品５ａ（６ａ）が位置ずれして一対の端子２４側に移動した場合でも、ボス部２５によりその移動を規制することができるので、接続端子８と電源基板５（制御基板６）または電子部品５ａ（６ａ）とが接触するのを防止することができる。その結果、電源基板５（制御基板６）または電子部品５ａ（６ａ）と一対の端子２４とが電気的に接触してショートするのを防止することができる。また、キャップ２ａおよび２ｂの内表面に突出するように接続端子８を位置決めするためのボス部２５を設けることによって、ボス部２５により、容易に接続端子８を位置決めすることができるので、接続端子８を一対の端子２４に容易に取り付けることができる。したがって、この直管型ＬＥＤ照明装置１００では、一対の端子２４に対して接続端子８を位置決めすることにより組立性を向上しながら、電源基板５（制御基板６）または電子部品５ａ（６ａ）が一対の端子２４と電気的に接触してショートするのを防止することができる。
【００４４】
また、第１実施形態では、上記のように、接続端子８をネジ９により一対の端子２４に対して固定し、ボス部２５を接続端子８がネジ９の締結時に回動する際に接続端子８に当接して回動を規制可能な位置に配置する。これにより、ボス部２５でネジ９の締結時に接続端子８が回動するのを防止することができるので、接続端子８を一対の端子２４に容易に取り付けることができる。
【００４５】
また、第１実施形態では、上記のように、接続端子８に当接し、位置決めをするためのボス部２５を設ける。これにより、チューブ１およびキャップ２ａおよび２ｂの内部で電源基板５（制御基板６）または電子部品５ａ（６ａ）が位置ずれして一対の端子２４側に移動した場合でも、簡易な形状のボス部２５により、その移動が規制されるので容易に、接続端子８と基電源基板５（制御基板６）または電子部品５ａ（６ａ）とが接触するのを防止して、ショートすることを防止することができる。
【００４６】
また、第１実施形態では、上記のように、厚み方向を管軸方向に向けて配置された平板状の接続端子８を挟み込み、かつ、対角線状に配置された少なくとも２つのボス部２５を設ける。これにより、ネジ９の締結時に接続端子８が右回りまたは左回りのいずれの方向に回動した場合でも、少なくとも２つのボス部２５により、その回動を防止することができるので、接続端子８を一対の端子２４に容易に取り付けることができる。また、接続端子８を挟むように少なくとも２つのボス部２５を設けることによって、接続端子８をボス部２５が配置された方向に接続端子８が移動するのを規制することができるので、少なくとも２つのボス部２５により、安定した状態で接続端子８を位置決めすることがでる。その結果、接続端子８を一対の端子２４に容易に取り付けることができる。
【００４７】
また、第１実施形態では、上記のように、  ４つのボス部２５を、平板状の接続端子８を挟み、かつ、互いに交差する一対の対角線状にそれぞれ１つずつ配置する。これにより、ボス部２５バランスよく接続端子８の４隅に配置されるので、安定した状態で位置決めすることができ、その結果、接続端子８を一対の端子２４により容易に取り付けることができる。
【００４８】
（第２実施形態）
次に、図１０〜図１２を参照して、本発明の第２実施形態によるによる直管型ＬＥＤ照明装置２００のキャップ２０２の構成について説明する。
【００４９】
この第２実施形態では、４つのボス部２５に接続端子８を当接させることにより位置決めするように構成した第１実施形態と異なり、一対のリブ部２２６に接続端子を当接させることにより位置決めするように構成した直管型ＬＥＤ照明装置２００について説明する。
【００５０】
本発明の第２実施形態のキャップ２０２は、図１０〜図１２に示すように、一対のリブ部２２６を有する。一対のリブ部２２６は、キャップ２０２の底部２２から内部に突出し、接続端子８の一対のリング部８１の外縁部８１ａに沿うよう管軸方向から見てＣ字状に形成されている。このように、接続端子８は、リブ部２２６のリング部８１の外縁部８１ａに当接することにより位置決めされるように構成されている。また、図１２に示すように、一対のリブ部２２６の管軸方向における底部２２からの突出高さＬ３は、一対の端子２４の底部２２からの高さＬ２よりも大きく設定されている。なお、リブ部２２６は、本発明の「位置決め部」の一例である。
【００５１】
なお、第２実施形態のその他の構成は、上記第１実施形態と同様である。
【００５２】
第２実施形態では、上記のように、接続端８を、平板状に形成し、厚み方向を管軸方向に向けて配置するとともに、ネジ９により一対の端子２４のそれぞれに接続する一対のリング部８１と、一対のリング部８１を連結する連結部８２と設け、一対のリブ部２２６を、一対のリング部８１の外縁部８１ａに沿うように形成する。これにより、接続端子８がリブ部２２６に面接触となるので、安定した状態で位置決めすることができ、その結果、接続端子８を一対の端子２４に容易に取り付けることができる。
【００５３】
第２実施形態では、上記のように、キャップ２０２の内表面に突出するように接続端子８を位置決めするための一対のリブ部２２６を設け、リブ部２２６の管軸方向における底部２２からの突出高さＬ３を、一対の端子２４の管軸方向における底部２２からの突出高さＬ２よりも大きく設定する。これにより、電源基板５（制御基板６）または電子部品５ａ（６ａ）の移動を一対のリブ部２２６に接触させることで規制することができるので、接続端子８と電源基板５（制御基板６）または電子部品５ａ（６ａ）とが接触しないようにして、ショートするのを防止することができる。また、一対のリブ部２２６により、容易に接続端子８を位置決めすることができるので、接続端子８を一対の端子２４に容易に取り付けることができる。
【００５４】
なお、第２実施形態のその他の効果は、上記第１実施形態と同様である。
【００５５】
（第３実施形態）
次に、図１３〜図１５を参照して、本発明の第３実施形態によるによる直管型ＬＥＤ照明装置３００のキャップ３０２および接続端子３０８の構成について説明する。
【００５６】
この第３実施形態では、４つのボス部２５に接続端子８を当接させることにより位置決めするように構成した第１実施形態と異なり、２つのボス部３２５に接続端子３０８を係合させることにより位置決めするように構成した直管型ＬＥＤ照明装置３００について説明する。
【００５７】
本発明の第３実施形態のキャップ３０２は、接続端子３０８を位置決めするための、底部２２から内部に突出する２つの円柱状のボス部３２５を有している。具体的には、２つのボス部３２５は、一対の端子２４を結ぶ線分上に、所定の間隔を隔てて配置されている。また、２つのボス部３２５の管軸方向における底部２２からの突出高さＬ４は、一対の端子２４の底部２２からの高さＬ２よりも大きく設定されている。
【００５８】
また、一対の端子２４に取り付けられる接続端子３０８の連結部３８２には、２つのボス部３２５のそれぞれに対応する２つの孔部３８６ａおよび３８６ｂが形成されている。この一方の孔部３８６ａは、ボス部３２５の円形の断面形状に略対応する円形状に形成され、他方の孔部３８６ｂは、連結部３８２の長手方向に延びる長円形状（トラック形状）に形成されている。これにより、２つのボス部３２５の離間距離が製造誤差によりばらつく場合でも、孔部３８６ｂとボス部３２５との隙間を利用して接続端子３０８を容易に取り付けることが可能である。また、一対の端子２４の付け根部分を結ぶ線分上には、底部２２から内部に突出する直線状の補強リブ部３２８が設けられている。２つのボス部３２５の付け根部分は、補強部３２８と重なる位置に配置されている。このため、ボス部３２５は、管軸方向に直交する方向に加わる外力に対して強固に補強されている。なお、ボス部３２５は、本発明の「位置決め部」の一例である。
【００５９】
なお、第３実施形態のその他の構成は、上記第１実施形態と同様である。
【００６０】
第３実施形態では、上記のように、接続端子３０８を、平板状に形成し、厚み方向を管軸方向に向けて配置するとともに、２つの孔部３８６ａおよび３８６ｂを設け、ボス部３２５が孔部３８６ａおよび３８６ｂに係合するように配置する。これにより、ボス部３２５と接続端子３０８の２つの孔部３８６ａおよび３８６ｂとを係合させて安定した状態で接続端子３０８を位置決めすることができるので、接続端子３０８を一対の端子２４に容易に取り付けることができる。
【００６１】
第３実施形態では、上記のように、キャップ３０２の内表面に突出するように接続端子３０８を位置決めするためのボス部３２５を設け、ボス部３２５の管軸方向における底部２２からの突出高さＬ４を、一対の端子２４の管軸方向における底部２２からの突出高さＬ２よりも大きく設定する。これにより、電源基板５（制御基板６）または電子部品５ａ（６ａ）の移動をボス部３２５に接触させることで規制することができるので、接続端子３０８と電源基板５（制御基板６）または電子部品５ａ（６ａ）とが接触しないようにして、ショートするのを防止することができる。また、ボス部３２５により、容易に接続端子３０８を位置決めすることができるので、接続端子３０８を一対の端子２４に容易に取り付けることができる。
【００６２】
なお、第３実施形態のその他の効果は、上記第１および第２実施形態と同様である。
【００６３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
たとえば、上記第１〜第３実施形態では、本発明の発光素子の一例として、ＬＥＤ素子を示したが、本発明はこれに限られない。本発明では、たとえば、半導体レーザ素子など、ＬＥＤ素子以外の発光素子であってもよい。
【００６５】
また、上記第１〜第３実施形態では、ボス部またはリブ部のうちのいずれか一方により、接続端子を位置決めする例を示したが、本発明はこれに限られない。本発明では、たとえば、図１６に示す第１変形例のように、ボス部４２５とリブ部４２６ａおよび４２６ｂとの両方により、接続端子４０８を位置決めしてもよい。具体的には、接続端子４０８の連結部４８２の一方の外縁部８２ａの略全域に沿うように１つのリブ部４２６ａを配置するとともに、他方の外縁部８２ｂの一部に沿って２つのリブ部４２６ｂを所定間隔隔てて配置する。また、一対の端子２４の中央に円柱状のボス部４２５を配置し、接続端子４０８の連結部４８２にボス部４２５に対応する円形の孔部４８６を形成する。これにより、接続端子４０８の孔部４８６をボス部４２５に係合させるとともに、外縁部８２ａおよび８２ｂをリブ部４２６ａおよび４２６ｂに当接させることにより、安定した状態で接続端子４０８を位置決めすることができる。また、図示しないが、ボス部４２５と、リブ部４２６ａおよび４２６ｂとの管軸方向における底部２２からの突出高さは、一対の端子２４の底部２２からの高さよりも大きく設定されている。なお、ボス部４２５とリブ部４２６ａおよび４２６ｂとは、本発明の「位置決め部」の一例である。
【００６６】
また、上記第３実施形態では、接続端子に孔部を設けて、ボス部に係合させることで位置決めする例を示したが、本発明はこれに限られない。本発明では、たとえば、図１７に示すように、接続端子５０８に切欠き部５８７を設けてボス部５２５を孔部５８７に係合させることにより、接続端子５０８を位置決めしてもよい。具体的には、連結部５８２の一方の外縁部５８２ａの中央に半円状の切欠き部５８７を設け、これに対応する位置に円柱状のボス部５２５を設ける。これにより、ボス部５２５に対して接続端子５０８をボス部５２５の周方向側から係合させることができるので、接続端子５０８をボス部５２５に容易に位置決めすることができる。この際、ネジ９の締結は、接続端子５０８が回動しないように、図１７に示す左の端子２４側のネジ孔から先に締結を行うのが好ましい。また、図示しないが、ボス部５２５の管軸方向における底部２２からの突出高さは、一対の端子２４の底部２２からの高さよりも大きく設定されている。なお、ボス部５２５は、本発明の「位置決め部」の一例である。
【００６７】
また、上記第１〜第３実施形態では、接続端子はネジにより一対の端子に取り付けられる例を示したが、本発明はこれに限られない。本発明では、たとえば、はんだ付により接続端子を一対の端子に取り付ける構成であってもよい。
【００６８】
また、上記第１〜第３実施形態では、電源基板と制御基板とが別体で構成される例を示したが、本発明はこれに限られない。本発明では、たとえば、電源基板と制御基板とを１つの基板で一体的に構成してもよい。
【符号の説明】
【００６９】
１  チューブ（管体）
２ａ、２ｂ、２０２、３０２  キャップ
３ａ  ＬＥＤ素子（発光素子）
５  電源基板（回路基板）
５ａ、６ａ  電子部品
６  制御基板（回路基板）
８、３０８、４０８、５０８  接続端子
９  ネジ
２２  底部
２４  端子
２５、３２５、４２５、５２５  ボス部（位置決め部）
８１  リング部（締結部）
８２、３８２、４８２、５８２  連結部
８１ａ、８２ａ、８２ｂ、５８２ａ  外縁部
１００、２００、３００  直管型ＬＥＤ照明装置
２２６、４２６ａ、４２６ｂ  リブ部（位置決め部）
３８６ａ、３８６ｂ、４８６  孔部
５８７  切欠き部
【図１】
2014175259.tif 000003
【図２】
2014175259.tif 000004
【図３】
2014175259.tif 000005
【図４】
2014175259.tif 000006
【図５】
2014175259.tif 000007
【図６】
2014175259.tif 000008
【図７】
2014175259.tif 000009
【図８】
2014175259.tif 000010
【図９】
2014175259.tif 000011
【図１０】
2014175259.tif 000012
【図１１】
2014175259.tif 000013
【図１２】
2014175259.tif 000014
【図１３】
2014175259.tif 000015
【図１４】
2014175259.tif 000016
【図１５】
2014175259.tif 000017
【図１６】
2014175259.tif 000018
【図１７】
2014175259.tif 000019